(57)【特許請求の範囲】
【請求項１】
被検体内に導入された被検体内導入装置から送信される無線信号を受信するために前記被検体に配設された配設アンテナを有する受信装置と接続可能な受信装置接続部と、
前記被検体に対して移動自在に設けられ、前記被検体内に導入された前記被検体内導入装置から送信される無線信号を受信するアンテナと、
前記アンテナから出力された第１の無線信号及び前記受信装置接続部を介して前記配設アンテナから出力された第２の無線信号が入力可能であり、前記受信装置接続部に前記受信装置が接続されていない場合に、入力される前記第１の無線信号を選択して出力し、前記受信装置接続部に前記受信装置が接続されている場合に、入力される前記第２の無線信号を選択して出力する選択手段と、
前記選択手段により選択された無線信号に基づく画像データを生成する画像処理部と、
前記画像処理部により生成された画像データに基づき、画像を表示する表示部と、
前記第１の無線信号の受信強度を検出する受信強度検出部と、
前記受信強度検出部の検出結果に基づき、この検出された受信強度の状況情報を報知する報知手段と、
を備えたことを特徴とする可搬型簡易画像表示装置。
【請求項２】
前記受信装置接続部に前記受信装置が接続されたか否かを検出する受信装置接続検出部をさらに有し、
前記選択手段は、前記受信装置接続検出部の検出結果に基づき、前記第１又は第２の無線信号を選択し出力することを特徴とする請求項１に記載の可搬型簡易画像表示装置。
【請求項３】
受信した無線信号に基づく画像データを格納可能な内蔵メモリと、
前記受信装置とは異なる外部装置とデータを通信可能に接続できる通信出力部と、
前記通信出力部が前記外部装置と接続しているか否かを判定する制御部とをさらに有し、
前記制御部は、前記通信出力部が前記外部装置と接続している場合に、前記内蔵メモリに記憶された画像データを前記外部装置に出力する制御を行うことを特徴とする請求項１または２に記載の可搬型簡易画像表示装置。
【請求項４】
前記報知手段は、前記選択手段により前記第２の無線信号が選択された場合、前記表示部に前記第２の無線信号に基づく画像とともに前記受信強度の状況情報を表示させることを特徴とする請求項１〜３のいずれか一つに記載の可搬型簡易画像表示装置。
【請求項５】
受信した無線信号に基づく画像データを格納可能な内蔵メモリと、
前記選択手段により前記第２の無線信号が選択された場合、前記受信強度検出部の検出結果と対応付けて前記第２の無線信号に基づく画像データを前記内蔵メモリに格納する制御を行う制御部と、
をさらに備えたことを特徴とする請求項１、２、４のいずれか一つに記載の可搬型簡易画像表示装置。
【請求項６】
前記アンテナは、一体的に当該可搬型簡易画像表示装置に備えられていることを特徴とする請求項１〜５のいずれか一つに記載の可搬型簡易画像表示装置。
【請求項７】
被検体内に導入された被検体内導入装置から送信される無線信号を受信するために前記被検体に配設された配設アンテナを有する受信装置と、
前記受信装置と接続可能な受信装置接続部を有する可搬型簡易画像表示装置とで構成され、
前記可搬型簡易画像表示装置は、
前記被検体に対して移動自在に設けられ、前記被検体内に導入された前記被検体内導入装置から送信される無線信号を受信するアンテナと、
前記アンテナから出力された第１の無線信号及び前記受信装置接続部を介して前記配設アンテナから出力された第２の無線信号が入力可能であり、前記受信装置接続部に前記受信装置が接続されていない場合に、入力される前記第１の無線信号を選択して出力し、前記受信装置接続部に前記受信装置が接続されている場合に、入力される前記第２の無線信号を選択して出力する選択手段と、
前記選択手段により選択された無線信号に基づく画像データを生成する画像処理部と、
前記画像処理部により生成された画像データに基づき、画像を表示する表示部と、
前記第１の無線信号の受信強度を検出する受信強度検出部と、
前記受信強度検出部の検出結果に基づき、この検出された受信強度の状況情報を報知する報知手段と、
を備えたことを特徴とする受信システム。
【発明の詳細な説明】
【技術分野】
【０００１】
本発明は、被検体内に導入されるカプセル型内視鏡等の被検体内導入装置から送信される無線信号を受信するアンテナを一体に有して受信した無線信号に基づく画像を表示部に表示する可搬型簡易画像表示装置、及び該可搬型簡易画像表示装置を備える受信システムに関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体（人体）から自然排出されるまでの観察期間、たとえば食道、胃、小腸などの臓器の内部（体腔内）をその蠕動運動に伴って移動し、撮像機能を用いて所定の撮像レートで順次撮像する構成を有する。
【０００３】
また、これら臓器内を移動するこの観察期間、カプセル型内視鏡によって体腔内で撮像された画像データは、順次無線通信などの無線通信機能により、被検者の外部に送信され、外部の受信機内に設けられたメモリに蓄積される。被検者がこの無線通信機能とメモリ機能を備えた受信機を携帯することにより、被検者は、カプセル型内視鏡を飲み込んだ後、排出されるまでの観察期間であっても、不自由を被ることなく自由に行動が可能になる（特許文献１参照）。
【０００４】
画像データを受信する場合、一般に受信機では、カプセル型内視鏡から送信される画像信号を受信するための複数のアンテナを被検者の外部に分散配置し、受信する受信強度が強い一つのアンテナを選択切替えして、画像信号を受信している。たとえば特許文献１には、被検体の外部に配置された複数のアンテナの受信切替えを行い、各アンテナが受信する電界強度をもとに、画像信号の発信源である被検体内のカプセル型内視鏡の位置を探知する受信機が記載されている。
【０００５】
このようなカプセル型内視鏡システムでは、カプセル型内視鏡による一連の撮像動作が完了した後に、受信機のメモリに蓄積された画像データをワークステーション等に転送することによって画像の閲覧が事後的に行われるのが一般的である。しかしながら、医師等からは短時間で通過することからすぐに診断可能な食道、胃等の箇所、気になる箇所等に関して撮像画像をリアルタイムに閲覧することに対する要望も高く、カプセル型内視鏡から送信された無線信号に基づきリアルタイムに画像表示を行う簡易画像表示装置を付属したシステムも提案されている。
【０００６】
従来の簡易画像表示装置は、最も簡単な構成としては、受信機と電気的に接続可能な構成を有するとともに、小型の表示部及び所定の信号処理部を備える。このような構成を有することによって、簡易画像表示装置は、受信機にて受信処理が施された信号を入力することが可能であり、入力した信号に基づき所定の処理を施した上で小型の表示部にカプセル型内視鏡で撮像された画像を表示する。
【０００７】
【特許文献１】特開２００３−１９１１１号公報
【発明の開示】
【発明が解決しようとする課題】
【０００８】
ところで、カプセル型内視鏡においては、カプセル型内視鏡が観察時に存在する体腔内部位が血液の多い臓器の場合、カプセル型内視鏡と受信機用のアンテナが配設された体表との間に血流が存在すると、カプセル型内視鏡からの電波が体表面側に透過しにくいことが知られている。しかしながら、受信機用の数個のアンテナは、被検者の体表数箇所に離散的かつ固定的に配設されるため、受信強度の一番強いアンテナを選択したとしても、カプセル型内視鏡の位置によっては受信強度の弱い部分が生じてしまう可能性がある。
【０００９】
そこで、カプセル型内視鏡からの電波が透過しにくい箇所を避けて受信強度の強い箇所でアンテナ受信して観察するために、簡易画像表示装置を操作者が把持可能な程度の大きさの可搬型とするとともにアンテナを一体に備える構成とし、簡易画像表示装置自身でアンテナの位置を変えながら補助的にカプセル型内視鏡からの無線信号を受信して画像表示することで、その場で直接的に診察することも考えられている。
【００１０】
しかしながら、簡易画像表示装置を操作者が把持可能な程度の大きさの可搬型に構成した場合、ＬＣＤ等により構成される表示部の大きさは、ワークステーション等における表示部の大きさに比べてかなり小型のものとなる。このような小型の表示部の表示画像を見ながら簡易画像表示装置の位置を変えても、現在表示されている画像が受信強度の強い状況での画像であるか否かは判りにくく、受信強度の強い状況でのリアルタイム観察を保証できない。
【００１１】
また、カプセル型内視鏡によっては、カプセル型内視鏡自身が送信する無線信号の出力状態が悪く、元々受信機側での受信強度が弱くなってしまう異常なものも存在し得るが、従来にあっては、あらかじめ検査前（飲み込み前）にこのような異常があり良好なる検査に供し得ないカプセル型内視鏡を排除するのに有効な対応策が講じられていない。
【００１２】
本発明は、上記に鑑みてなされたものであって、検査前及び検査中のいずれの場合でも、被検体内導入装置から送信出力される無線信号の受信強度の状況を感覚的に知ることができ、良好なる検査の一助とすることができる可搬型簡易画像表示装置及び受信システムを提供することを目的とする。
【課題を解決するための手段】
【００１３】
上述した課題を解決し、目的を達成するために、本発明に係る可搬型簡易画像表示装置は、被検体内に導入される被検体内導入装置から送信される無線信号を受信するアンテナを一体に有して受信した無線信号に基づく画像を表示部に表示する可搬型簡易画像表示装置であって、前記被検体内導入装置から送信される無線信号の受信強度を検出する検出手段と、検出された受信強度状況を報知する報知手段と、を備えたことを特徴とする。
【００１４】
本発明に係る可搬型簡易画像表示装置は、上記発明において、前記報知手段は、受信強度状況を検出された受信強度に応じて視覚的に変化させて報知することを特徴とする。
【００１５】
本発明に係る可搬型簡易画像表示装置は、上記発明において、前記報知手段は、前記表示部の一部を用い、受信強度状況を検出された受信強度に応じて変化する所定の表示パターンで報知することを特徴とする。
【００１６】
本発明に係る可搬型簡易画像表示装置は、上記発明において、前記報知手段は、発光素子を用い、受信強度状況を検出された受信強度に応じて変化する所定の点灯表示パターンで報知することを特徴とする。
【００１７】
本発明に係る可搬型簡易画像表示装置は、上記発明において、前記報知手段は、受信強度状況を検出された受信強度に応じて聴覚的に変化させて報知することを特徴とする。
【００１８】
本発明に係る可搬型簡易画像表示装置は、上記発明において、受信した無線信号に基づく画像データを格納する内蔵メモリを備えたことを特徴とする。
【００１９】
本発明に係る受信システムは、被検体に携帯され、該被検体内に導入された被検体内導入装置から送信される無線信号を前記被検体に対する配設アンテナで受信し受信した無線信号に基づく画像データを記憶部に格納する受信装置と、該受信装置に着脱自在に接続されて前記受信装置が受信した無線信号に基づく画像を表示部に表示する可搬型簡易画像表示装置とを備える受信システムであって、前記可搬型簡易画像表示装置は、前記被検体内導入装置から送信される無線信号を受信する一体化されたアンテナと、該アンテナで受信した無線信号に基づく画像を前記表示部に表示させる画像表示手段と、前記被検体内導入装置から送信されて前記アンテナで受信した無線信号の受信強度を検出する検出手段と、検出された受信強度状況を報知する報知手段と、を備えたことを特徴とする。
【００２０】
本発明に係る受信システムは、上記発明において、前記報知手段は、受信強度状況を検出された受信強度に応じて視覚的に変化させて報知することを特徴とする。
【００２１】
本発明に係る受信システムは、上記発明において、前記報知手段は、前記表示部の一部を用い、受信強度状況を検出された受信強度に応じて変化する所定の表示パターンで報知することを特徴とする。
【００２２】
本発明に係る受信システムは、上記発明において、前記報知手段は、発光素子を用い、受信強度状況を検出された受信強度に応じて変化する所定の点灯表示パターンで報知することを特徴とする。
【００２３】
本発明に係る受信システムは、上記発明において、前記報知手段は、受信強度状況を検出された受信強度に応じて聴覚的に変化させて報知することを特徴とする。
【００２４】
本発明に係る受信システムは、上記発明において、前記可搬型簡易画像表示装置は、受信した無線信号に基づく画像データを格納する内蔵メモリを備えたことを特徴とする。
【発明の効果】
【００２５】
本発明に係る可搬型簡易画像表示装置及び受信システムによれば、可搬型簡易画像表示装置が、被検体内導入装置から送信される無線信号の受信強度を検出する検出手段と、検出された受信強度状況を報知する報知手段とを備えるので、検査前及び検査中のいずれの場合でも、被検体内導入装置から送信出力される無線信号の受信強度の状況を受信強度状況の報知結果によって感覚的に知ることができ、検査前であれば、元々受信強度が弱い異常な被検体内導入装置の飲み込みを事前に避けることができ、検査中であれば、受信強度の強い箇所を探して良好なる受信画像の下に補助的な観察を行うことができ、良好なる検査の一助とすることができるという効果を奏する。
【発明を実施するための最良の形態】
【００２６】
以下に、本発明に係る可搬型簡易画像表示装置及び受信システムの実施の形態を図面に基づいて詳細に説明する。なお、本発明は、実施の形態に限定されるものではなく、本発明の要旨を逸脱しない範囲で種々の変更実施の形態が可能である。
【００２７】
図１は、本発明に係る可搬型簡易画像表示装置及び受信システムの好適な実施の形態である無線型被検体内情報取得システムの全体構成を示す模式図であり、図２は、そのうちの主に受信システムの構成例を示す分解斜視図である。この無線型被検体内情報取得システムは、送信装置である被検体内導入装置の一例としてカプセル型内視鏡を用いている。図１において、無線型被検体内情報取得システムは、被検体１内に導入されるカプセル型内視鏡２から送信される無線信号の受信処理に用いられる受信システム３を備える。この受信システム３は、被検体１に携帯された状態で使用され、配設アンテナ４ａ〜４ｈを介して受信した無線信号の受信処理を行う受信装置５と、この受信装置５に対してビュアケーブル６によって着脱自在に接続され、受信装置５から出力される電気信号に基づきカプセル型内視鏡２で撮像された画像の表示を行う可搬型簡易画像表示装置としてのビュア７とを備える。
【００２８】
また、本実施の形態の無線型被検体内情報取得システムは、受信システム３が受信した映像信号に基づいて体腔内画像を表示するワークステーション（ＷＳ）８と、受信装置５とワークステーション８との間でデータの受け渡しを行うための記憶部としての携帯型記録媒体９と、ビュア７からワークステーション８へのデータの送信を行うための着脱自在な通信ケーブル１０とを備える。
【００２９】
カプセル型内視鏡２は、被検体１の口腔を介して被検体２内部に導入され、たとえば内蔵の撮像機構によって取得した体腔内画像データを被検体１の外部に対して無線送信する機能を有する。配設アンテナ４ａ〜４ｈは、被検体１の体外表面の適宜位置に分散させて固定的に配設されたものであるが、これらの配設アンテナ４ａ〜４ｈは、たとえば被検体１が着用可能な受信ジャケット上に備え付けられ、被検体１は、この受信ジャケットを着用することによって、配設アンテナ４ａ〜４ｈを装着するようにしてもよい。また、この場合、配設アンテナ４ａ〜４ｈは、ジャケットに対して着脱可能なものであってもよい。
【００３０】
ワークステーション８は、カプセル型内視鏡２によって撮像された体腔内画像などを表示するためのものであり、携帯型記録媒体９等によって得られるデータに基づいて画像表示を行う。具体的には、ワークステーション８は、ＣＲＴディスプレイ、液晶ディスプレイなどによって直接画像を表示する構成としてもよいし、プリンタなどのように、他の媒体に画像を出力する構成としてもよい。
【００３１】
携帯型記録媒体９は、コンパクトフラッシュ（登録商標）メモリなどが用いられ、受信装置５及びワークステーション８に対して着脱可能であって、両者に対して挿着された時に情報の出力又は記録が可能な構造を有する。本実施の形態では、携帯型記録媒体９は、たとえば検査前には、ワークステーション８の表示装置に挿着されて検査ＩＤなどの識別情報が記憶され、さらに検査の直前には、受信装置５に挿着され、この受信装置５によって、この識別情報が読み出されて受信装置５内に登録される。また、カプセル型内視鏡２が被検体１の体腔内を移動している間は、携帯型記録媒体９は、被検体１に取り付けられた受信装置５に挿着されてカプセル型内視鏡２から送信されるデータを記録する。そして、カプセル型内視鏡２が被検体１から排出された後、つまり、被検体１の内部の撮像が終了した後には、受信装置５から取り出されてワークステーション８に挿着され、このワークステーション８によって、携帯型記録媒体９に記録されたデータが読み出される構成を有する。たとえば、受信装置５とワークステーション８とのデータの受け渡しを、携帯型記録媒体９によって行うことで、被検体１が体腔内の撮影中に自由に動作することが可能となり、また、ワークステーション８との間のデータの受け渡し期間の短縮にも寄与している。なお、受信装置５とワークステーション８との間のデータの受け渡しは、受信装置５に内蔵型の他の記録装置、たとえばハードディスクを用い、ワークステーション８との間のデータの受け渡しのために、双方を有線又は無線接続するように構成してもよい。
【００３２】
ビュア７は、操作者が手で把持可能な程度の大きさに形成された可搬型のもので、受信装置５から出力される電気信号に基づく画像を表示する機能を有する。係る機能を実現するために、ビュア７は、画像表示用の小型ＬＣＤによる表示部１１を備える。１２は、電源スイッチであり、１３は装置の稼動時に点灯するパイロットランプである。また、ビュア７は、受信装置５を経由することなくカプセル型内視鏡２から送信される無線信号を直接的に受信するための受信機能を実現するためのロッド状のアンテナ１４を一体に有する。なお、図１では、受信装置５とビュア７とがビュアケーブル６によって接続されているが、両者は、常に接続状態で使用されるわけではなく、受信装置５の受信画像によるリアルタイム観察を行わない状態では、ビュアケーブル６は外されており、被検体１は受信装置５のみを携帯することとなる。
【００３３】
次に、受信装置５及びビュア７の構成の詳細について説明する。図３は、本実施の形態に係る受信システム３を構成する受信装置５及びビュア７の構成例を示す概略ブロック図である。受信装置５は、各配設アンテナ４ａ〜４ｈからの受信強度信号に基づきそれぞれの受信強度を検出する強度検出部２１と、受信強度の検出結果をＡ／Ｄ変換するＡ／Ｄ変換部２２と、Ａ／Ｄ変換された受信強度の検出結果に基づき配設アンテナ４ａ〜４ｈのうちから受信強度の最も高い一つを選択するアンテナ切替部２３とを備える。また、受信装置５は、アンテナ切替部２３によって選択された一つのアンテナを介して受信された無線信号に対して復調処理を行う復調器２４と、復調処理が施された電気信号に対して所定の画像処理を施す画像処理回路２５とを備える。また、受信装置５全体の制御を受け持つＣＰＵ等を備えるマイクロコンピュータ構成の制御部２６を備え、この制御部２６には、前述のＡ／Ｄ変換部２２、アンテナ切替部２３、画像処理回路２５の他に、電源スイッチ２７、小型の表示部２８及び携帯型記録媒体９が接続されている。さらに、復調器２４の出力側から分岐されてビュアケーブル６が接続されるケーブルコネクタ２９を有する。なお、特に図示しないが、各部を駆動するためのバッテリが内蔵又は外部接続により設けられている。
【００３４】
ビュア７は、アンテナ１４からの受信強度信号に基づきその受信強度を検出するためにサンプルホールド回路等により構成された強度検出部３１と、受信強度の検出結果をＡ／Ｄ変換するＡ／Ｄ変換部３２と、Ａ／Ｄ変換された受信強度の検出結果を評価する制御部３３とを備える。また、ビュア７は、アンテナ１４を介して受信された無線信号に対して復調処理を行う復調器３４と、復調処理が施された電気信号に対して所定の画像処理を施す画像処理回路３５とを備える。ビュア７全体の制御を受け持つＣＰＵ等を備えるマイクロコンピュータ構成の制御部３３には、前述のＡ／Ｄ変換部３２、画像処理回路３５の他に、電源スイッチ１２、表示部１１及び内蔵メモリ３６が接続されている。さらに、画像処理回路３５に対して、復調器２４の出力側と、ビュアケーブル６が接続されるケーブルコネクタ３７側とを選択切替えする切替スイッチ３８が設けられ、この切替スイッチ３８の切替制御を行う受信機接続検出部３９を備える。また、制御部３３には、通信ケーブル１０を介してデータをワークステーション８側に出力するための通信出力部４０が接続されている。なお、特に図示しないが、各部を駆動するためのバッテリが内蔵されている。
【００３５】
ここで、本実施の形態のビュア７は、制御部３３による制御の下、表示部１１の一部が報知手段として利用され、受信強度状況を検出された受信強度に応じて変化する所定の表示パターンで操作者に報知するように構成されている。たとえば、受信強度を弱〜強の間で４段階に分けた場合、図４に示すように、表示部１１の一部を利用して受信強度をカプセル絵表示４１のパターンを切替えて表示する。図４（ａ）は受信強度０の場合を示しており、カプセル絵表示４１が警告を示す赤色表示（図面上、ハッチング表示）とされ、その後、図４（ｂ）〜図４（ｄ）に示すように、受信強度が強くなるにつれて模式的な電波線の本数を１本ずつ増やすことにより受信強度が強くなる様子を段階的かつ視覚的に表示するパターンとされている。
【００３６】
次に、本実施の形態に係る無線型被検体内情報取得システムの基本動作について説明する。内蔵の電源スイッチが投入されて被検体１内に導入されたカプセル型内視鏡２は、体腔内を順次移動しながら所定間隔で体腔内を撮像し、撮像した画像データを無線信号として体外に向けて送信出力する。ここで、被検体１の体表側には、複数の配設アンテナ４ａ〜４ｈが配設されており、カプセル型内視鏡２から送信出力される無線信号に対して最も受信強度の強いアンテナが受信した受信信号が復調器２４により復調され、画像処理回路２５で所定の画像処理が施された画像データは順次携帯型記録媒体９に格納される。この際、ビュアケーブル６にてビュア７が接続されていれば、切替スイッチ３８がビュアコネクタ３７側に切替えられ、受信装置５で受信した体腔内画像データは、ビュア７の表示部１１を通じてリアルタイムで表示されるので、リアルタイム観察が可能となる。その後、カプセル型内視鏡２が被検体１外に排出され、検査が終了したら、携帯型記録媒体９を受信装置５から取り出してワークステーション８側に挿着することで、携帯型記録媒体９に記録された体腔内画像データをワークステーション８の大型表示画面を通じて表示させることで医師等が詳細に診断を行うことができる。
【００３７】
次いで、本実施の形態に係るビュア７の動作について説明する。本実施の形態のビュア７は、アンテナ１４を一体に有し、受信装置５を経由することなくカプセル型内視鏡２から送信出力される無線信号を直接的に受信することが可能であり、かつ、その受信強度を検出し、表示部１１の一部を利用して所定の表示パターンにて受信強度状況の報知が可能とされている。
【００３８】
そこで、たとえば検査前であれば、図５に示すように、医師や看護師が単体状態のビュア７を把持して、電源スイッチ投入後で飲み込み前のカプセル型内視鏡２に近づけてアンテナ１４を通じてカプセル型内視鏡２からの無線信号を直接的に受信することで、その受信強度を検出し、検出された受信強度状況をビュア７の表示部１１にカプセル絵表示４１として表示させることで、カプセル型内視鏡２に対する受信強度状況を視覚を通じて感覚的に知ることができる。この際、たとえば図４（ａ）に示すようなカプセル絵表示４１となった場合はもちろん、図４（ｂ）や図４（ｃ）に示すようなカプセル絵表示４１となった場合のように、元々送信出力強度が弱く受信強度も弱くなってしまうような異常なカプセル型内視鏡２であった場合には、検査を良好に行えないので、その飲み込みを事前に避けることができ、受信強度の強い正常なカプセル型内視鏡２に変更させることができ、良好なる検査の一助とすることができる。
【００３９】
また、検査開始後であれば、たとえばカプセル型内視鏡２が食道や胃などを通過する際に、必要に応じて、図６に示すように、医師が単体状態のビュア７を把持して被検体１に近づけてアンテナ１４を通じてカプセル型内視鏡２からの無線信号を配設アンテナ４ａ〜４ｈと並行して補助的に受信することで、受信装置５を経ない体腔内画像データを直接的に取得し、ビュア７の表示部１１にカプセル取得画像４２として表示させることができる。この際、カプセル型内視鏡２からの無線信号の受信強度は、強度検出部３１、Ａ／Ｄ変換部３２を通じて制御部３３により検出されており、検出された受信強度状況が表示部１１の一部でカプセル絵表示４１のパターンで併せて表示させるので、そのアンテナ１４位置での受信強度レベルを視覚を通じて感覚的に知ることができる。そこで、ビュア７の位置を変えてアンテナ１４の位置を動かすことで、たとえば図４（ｄ）に示すような最も受信強度が強い状態が得られる位置を探し出すことで、カプセル型内視鏡２からの無線信号を血流等の影響を受けない最良の状態で受信して良好なる受信画像を取得することができ、配設アンテナ４ａ〜４ｈや受信装置５による本来の観察を補うための補助的な観察を良好に行うことができる。
【００４０】
このような操作の際、アンテナ１４を通じて受信したカプセル型内視鏡２からの画像データは、復調器３４、信号処理回路３５を経て表示部１１への表示に供される一方、内蔵メモリ３６にも、その時の受信強度に対応付けて順次格納される。ビュア７によるカプセル型内視鏡２からの画像データの直接的な取得は、食道や胃などの特定部位での補助的なものであり、携帯型記録媒体９のような記憶容量を必要としないため、内蔵メモリ３６で済む。そして、ビュア７による補助的な観察が終了した後は、ビュア７とワークステーション８とを通信ケーブル１０で接続することにより、内蔵メモリ３６に格納された体腔内画像データを通信出力部４０を通じてワークステーション８に送信出力することで、携帯型記録媒体９から取得される検査時間全体に亘る本来の体腔内画像データとともに、適宜診断に供することができ、良好なる検査の一助とすることができる。
【００４１】
図７は、制御部３３により実行されるビュア７の接続状態に応じた上述の動作制御例を示す概略フローチャートである。この処理制御は、ビュア７の電源スイッチ１２が投入されている状態で（ステップＳ１００：Ｙｅｓ）、実行される。まず、受信機接続検出部３９の検出結果により、受信機（受信装置）が接続されているか否かを判定する（ステップＳ１０１）。ビュアケーブル６により受信装置５が接続されている場合には（ステップＳ１０１：Ｙｅｓ）、ビュア７は受信装置５のモニタとして機能し、受信装置５側から画像データをリアルタイムで取得し（ステップＳ１０２）、取得した画像を表示部１１にリアルタイム表示する（ステップＳ１０３）。これにより、受信装置５を通じたリアルタイム観察が可能となる。
【００４２】
一方、受信装置５が接続されていない場合には（ステップＳ１０１：Ｎｏ）、通信ケーブル１０によりＷＳ（ワークステーション８）が接続されているか否かを判定する（ステップＳ１１０）。ワークステーション８が接続されている場合には（ステップＳ１１０：Ｙｅｓ）、内蔵メモリ３６に格納されている画像データを通信出力部４０を通じてワークステーション８に送信出力する（ステップＳ１１１）。
【００４３】
さらに、ワークステーション８も接続されてない単独状態の場合には（ステップＳ１１０：Ｎｏ）、アンテナ１４を通じてカプセル型内視鏡２からの無線信号を受信する（ステップＳ１２０）。併せて、その時の受信強度を検出する（ステップＳ１２１）。そして、受信強度状況を示すカプセル絵表示４１と併せて受信した体腔内画像を表示部１１にリアルタイム表示し（ステップＳ１２２）、さらに、その時の受信強度に対応付けて体腔内画像データを内蔵メモリ３６に順次格納する（ステップＳ１２３）。これらの処理制御を、電源スイッチ１２がオフされるまで（ステップＳ１３０：Ｙｅｓ）、繰り返す。
【００４４】
なお、本実施の形態では、表示部１１の一部を用いた所定の表示パターンであるカプセル絵文字４１により受信強度状況を視覚的に報知させるようにしたが、これに限らず、ＬＣＤ構成の表示部１１のカプセル取得画像４２以外の部分のバックライトの濃淡を受信強度の弱〜強のレベルに応じて薄い状態から濃い状態に段階的に変化させるように表示させるパターンであってもよい。
【００４５】
また、図８に示すように、表示部１１外に受信状態を報知させるための発光素子、たとえばＬＥＤ４３を付加し、このＬＥＤ４３を受信強度の弱〜強のレベルに応じて所定の点灯表示パターンで点灯するように制御してもよい。たとえば、受信強度が極めて弱い状態では、ＬＥＤ４３を赤色点灯させることで警告し、受信強度が所定の閾値レベルに達しない状態では、ＬＥＤ４３を赤色点滅させることで注意を促し、受信強度が閾値レベル以上の状態では、ＬＥＤ４３を緑色点灯させる、如き点灯表示パターンとすればよい。
【００４６】
さらには、視覚的な報知に限らず、たとえばビュア７にスピーカ等を内蔵させ、受信強度の弱〜強のレベルに応じて、「ピッ」，「ピッピッ」，「ピッピッピッ」、あるいは、「ピー」、「ピーー」、「ピーーー」の如く、聴覚的に段階的に長短変化させて報知させる方式であってもよい。
【図面の簡単な説明】
【００４７】
【図１】本発明の実施の形態に係る可搬型簡易画像表示装置及び受信システムの好適な実施の形態である無線型被検体内情報取得システムの全体構成を示す模式図である。
【図２】主に受信システムの構成例を示す分解斜視図である。
【図３】本実施の形態に係る受信システムを構成する受信装置及びビュアの構成例を示す概略ブロック図である。
【図４】受信強度を示すカプセル絵表示のパターン例を示す模式図である。
【図５】検査前のカプセル型内視鏡の受信強度検出の様子を示す正面図である。
【図６】検査中のカプセル型内視鏡の受信強度検出の様子を示す正面図である。
【図７】ビュアの接続状態に応じた動作制御例を示す概略フローチャートである。
【図８】ＬＥＤを用いた変形例を示す概略正面図である。
【符号の説明】
【００４８】
１  被検体
２  カプセル型内視鏡
３  受信システム
４ａ〜４ｈ  配設アンテナ
５  受信装置
７  ビュア
９  携帯型記録媒体
１１  表示部
１４  アンテナ
４１  カプセル絵表示
４３  ＬＥＤ
【図１】
0004823614.tif 000002
【図２】
0004823614.tif 000003
【図３】
0004823614.tif 000004
【図４】
0004823614.tif 000005
【図５】
0004823614.tif 000006
【図６】
0004823614.tif 000007
【図７】
0004823614.tif 000008
【図８】
0004823614.tif 000009